(57)【要約】      （修正有）【課題】サイネージ端末を見た人の動きを考慮した情報提供を行う。【解決手段】情報取得装置（ユーザ端末）Ｕは、情報取得装置Ｕの動きを検出する検出手段と、外部装置（サイネージ端末）４から送信される外部装置４に出力されている出力情報を示す識別情報を受信する受信手段と、検出手段が所定の動きを検出した際に受信手段で識別情報を受信させる受信制御手段と、受信手段によって識別情報を受信した際に識別情報が示す外部装置４に出力されている出力情報に関連する情報を取得する情報取得手段と、を備える。【選択図】図１
2017116596.tif 000002
【特許請求の範囲】
【請求項１】
自装置の動きを検出する検出手段と、
外部装置から送信される前記外部装置に出力されている出力情報を示す識別情報を受信する受信手段と、
前記検出手段が所定の動きを検出した際に前記受信手段で前記識別情報を受信させる受信制御手段と、
前記受信手段によって前記識別情報を受信した際に前記識別情報が示す前記外部装置に出力されている出力情報に関連する情報を取得する情報取得手段と、
を備えたことを特徴とする情報取得装置。
【請求項２】
前記検出手段は、ユーザの腕の振りが所定の状態にあるか否かを検出し、該検出手段で所定の状態にあることが判定された時に前記受信制御手段が前記受信手段で前記識別情報を受信させることを特徴とする請求項１に記載の情報取得装置。
【請求項３】
前記情報取得手段は、前記識別情報に対応付けて記憶されている前記外部装置に出力されている出力情報に関連する情報を取得することを特徴とする請求項１または２に記載の情報取得装置。
【請求項４】
前記所定の状態とは、前記ユーザの腕の振りが大きくない状態であることを特徴とする請求項２に記載の情報取得装置。
【請求項５】
自装置の動きを検出する検出手段と、外部装置から送信される前記外部装置に出力されている出力情報を示す識別情報を受信する受信手段とを備える情報取得装置が行う情報取得方法であって、
前記検出手段が所定の動きを検出した際に前記受信手段で前記識別情報を受信させる受信制御工程と、
前記受信手段によって前記識別情報を受信した際に前記識別情報が示す前記外部装置に出力されている出力情報に関連する情報を取得する情報取得工程と、
を含むことを特徴とする情報取得方法。
【請求項６】
自装置の動きを検出する検出手段と、外部装置から送信される前記外部装置に出力されている出力情報を示す識別情報を受信する受信手段とを備える情報取得装置に用いられるコンピュータを、
前記検出手段が所定の動きを検出した際に前記受信手段で前記識別情報を受信させる受信制御手段、
前記受信手段によって前記識別情報を受信した際に前記識別情報が示す前記外部装置に出力されている出力情報に関連する情報を取得する情報取得手段、
として機能させるためのプログラム。
【発明の詳細な説明】
【技術分野】
【０００１】
本発明は、広告などのコンテンツをユーザの携帯端末に配信する情報取得装置、情報取得方法、及びプログラムに関する。
【背景技術】
【０００２】
多機能型携帯電話機（スマートフォン）などの携帯端末の普及に伴い、広告などのコンテンツをユーザの携帯端末に配信して表示させることが行われている。コンテンツとは、メディアやネットワークなどの媒体によって記録・伝送される、人間にとって意味のあるひとまとまりの情報のことである。
【０００３】
たとえば、下記の特許文献１には、携帯端末（同文献ではモバイル端末１１０）に配信された第１のコンテンツ（同文献では第１広告情報１２０等）を当該端末の画面に表示させている状態でこの携帯端末を動かす（たとえば、振るまたは回転させる）と、第１のコンテンツに変えて第２のコンテンツ（同文献では第２広告情報１３０等）を配信して当該端末の画面に表示させるようにした広告提供システムの技術が開示されている。
【０００４】
この技術によれば、第１のコンテンツに興味を持ったユーザが携帯端末を動かすと、第１のコンテンツに変えて第二のコンテンツを表示するので、たとえば、第１のコンテンツを簡易なもの（新商品の案内等）とするとともに、第２のコンテンツをより詳細なもの（その新商品の詳細説明等）としておけば、コンテンツの周知効果（広告効果等）を高めることができる。
【先行技術文献】
【特許文献】
【０００５】
【特許文献１】特開２０１３−１３４４９４号公報
【発明の概要】
【発明が解決しようとする課題】
【０００６】
しかしながら、前記の技術は、単に、携帯端末の動きに合わせて表示するコンテンツを切り替えているにすぎず、たとえば、街角の看板やポスターを電子化し、液晶パネルやプロジェクタなどに文字や画像または動画もしくはこれらの混在情報を表示する、いわゆるデジタルサイネージ端末（以下、単にサイネージ端末という）の表示を見た人の動きを考慮していない点で改善の余地がある。
【０００７】
そこで、本発明は、サイネージ端末を見た人の動きを考慮した情報取得装置、情報取得方法及びプログラムを提供することにある。
【課題を解決するための手段】
【０００８】
本発明に係る情報取得装置は、自装置の動きを検出する検出手段と、外部装置から送信される前記外部装置に出力されている出力情報を示す識別情報を受信する受信手段と、前記検出手段が所定の動きを検出した際に前記受信手段で前記識別情報を受信させる受信制御手段と、前記受信手段によって前記識別情報を受信した際に前記識別情報が示す前記外部装置に出力されている出力情報に関連する情報を取得する情報取得手段と、を備えたことを特徴とする。
本発明に係る情報取得方法は、自装置の動きを検出する検出手段と、外部装置から送信される前記外部装置に出力されている出力情報を示す識別情報を受信する受信手段とを備える情報取得装置が行う情報取得方法であって、前記検出手段が所定の動きを検出した際に前記受信手段で前記識別情報を受信させる受信制御工程と、前記受信手段によって前記識別情報を受信した際に前記識別情報が示す前記外部装置に出力されている出力情報に関連する情報を取得する情報取得工程と、を含むことを特徴とする。
本発明に係るプログラムは、自装置の動きを検出する検出手段と、外部装置から送信される前記外部装置に出力されている出力情報を示す識別情報を受信する受信手段とを備える情報取得装置に用いられるコンピュータを、前記検出手段が所定の動きを検出した際に前記受信手段で前記識別情報を受信させる受信制御手段、前記受信手段によって前記識別情報を受信した際に前記識別情報が示す前記外部装置に出力されている出力情報に関連する情報を取得する情報取得手段、として機能させる。
【発明の効果】
【０００９】
本発明によれば、サイネージ端末を見た人の動きを考慮した情報提供を行うことができる。
【図面の簡単な説明】
【００１０】
【図１】実施形態におけるコンテンツ配信システムの概念構成図である。
【図２】サイネージ端末４の概念構成図である。
【図３】サーバ２の概念構成図である。
【図４】ユーザ端末Ｕの概念構成図である。
【図５】実施形態の動作説明図である。
【発明を実施するための形態】
【００１１】
本発明の実施形態を、図面を参照しながら説明する。
図１は、実施形態におけるコンテンツ配信システムの概念構成図である。
【００１２】
コンテンツ配信システム１は、サーバ２と、ネットワーク３と、サイネージ端末４（コンテンツ表示装置）と、基地局５とを含むとともに、ユーザ６と一緒に移動するユーザ端末Ｕを含んで構成されており、この実施形態では、ユーザ端末Ｕは、ユーザ６の腕に装着されたリスト端末７と、ユーザ６によって携行される携帯端末８と、で構成されている。
【００１３】
なお、図中のサイネージ端末４や基地局５及びユーザ端末Ｕは、実際には各々複数備えられるが、図面の輻輳を避けるために代表してそれぞれひとつずつを示している。
【００１４】
サイネージ端末４は、液晶パネルやプロジェクタ等の大型表示装置で構成されており、任意のコンテンツを表示するために、たとえば、街角または空港や駅などの公共施設あるいは店舗やビルの壁面等の様々な場所に設置されたディスプレイ機器である。以下、説明の便宜上、任意のコンテンツを「広告」とするが、これに限定されない。
【００１５】
広告はサイネージ端末４の設置場所に適合した内容のもの（たとえば、店舗であれば商品情報など）であり、各々のサイネージ端末４ごとに所定の時間間隔あるいはランダムな時間間隔もしくは任意のタイミングで広告の内容が切り替えられるようになっている。たとえば、数分間隔で広告Ａ、広告Ｂ、広告Ｃ・・・・に切り替えるという具合である。広告等のコンテンツは静止画や動画または文字もしくはそれらの混在であってもよく、あるいはナレーションやＢＧＭ（background music）などの音声データを含んでいてもよい。
【００１６】
サイネージ端末４は、また、表示中の広告を識別するユニークな情報（以下、コンテンツＩＤ（識別情報））をサイネージ端末４の周囲にワイヤレスで送信する。たとえば、「周囲」とは、このサイネージ端末４に表示された広告を見ることができる範囲のことであってもよく、この場合、一般的に同範囲はサイネージ端末４の特に画面サイズに応じて決まる。たとえば、数十インチ程度の画面サイズであれば数メートルから十数メートル程度の至近範囲であり、あるいは、ビルの壁面を覆うほどの大きな画面サイズであれば、数十メートルないしはそれを超える中・長距離範囲に及ぶこともある。
【００１７】
ワイヤレス送信に使用する通信媒体は、前記の至近範囲の場合は、たとえば、Ｂｌｕｅｔｏｏｔｈ（登録商標）等の近距離無線を使用することができ、また、前記の中・長距離範囲の場合は、たとえば、Ｗｉ−Ｆｉ（Wireless Fidelity）（登録商標）や小電力無線通信等の中長距離無線通信を使用することができる。距離に対応した適切な通信媒体を選択すればよい。
【００１８】
リスト端末７は、たとえば、スマートウォッチとも呼ばれる腕時計型端末であり、このリスト端末７は、時計としての基本機能に加えて、スマートフォン等の多機能型携帯電話機（携帯端末８）との連携機能（たとえば、携帯端末８の電話着信やメール受信の通知機能など）を有しているとともに、この実施形態においては、さらに、ユーザ６がサイネージ端末４の広告を見ているか否かを判定する機能と、広告を見ていることが判定された場合にサイネージ端末４から送信されたコンテンツＩＤを受信する機能と、受信したコンテンツＩＤを携帯端末８に伝える機能とを有している。
【００１９】
携帯端末８は、スマートフォン等の多機能型携帯電話機などであり、最寄りの基地局５を介して他の電話機（携帯電話機や一般加入電話機等）との間で通話を行う電話機能やネットワーク３を介して提供される各種サービス（電子メールやホームページの閲覧サービス等）を利用する機能を有するほか、リスト端末７から伝えられたコンテンツＩＤを手掛かりにして、サイネージ端末４に表示中の広告の関連データ（広告情報）をサーバ２からダウンロードして表示する機能を有している。
【００２０】
関連データ（広告情報）とは、コンテンツＩＤにより、サイネージ端末４に表示中の広告（コンテンツ）と一対一に対応付けされた他のコンテンツのことをいい、たとえば、サイネージ端末４に表示中の広告が任意の商品を簡易的に説明するものである場合に、その商品をより具体的に説明するコンテンツのことである。また、１つのコンテンツＩＤに複数の関連データ（広告情報）が対応付けられていてもよく、１つの関連データ（広告情報）に複数のコンテンツＩＤが対応付けられていてもよい。
【００２１】
基地局５は、携帯端末８の通信会社によって運営される多数のセルラー方式無線中継局の一つである。この基地局５は不図示の電話局に接続されるとともに、さらに、ネットワーク３を介してサーバ２にも接続されている。
【００２２】
ネットワーク３は、インターネット等の地球規模の広域ネットワークであり、図示のサーバ２をはじめとするさまざまなサーバおよび不図示の端末等が接続されている。
【００２３】
サーバ２は、実施形態に特有のものであり、特に、携帯端末８から所定の通知があった場合に、その通知に含まれているコンテンツＩＤに対応した情報（サイネージ端末４に表示中の広告の関連データ（広告情報））を、通知元の携帯端末８に送信する。
【００２４】
図２は、サイネージ端末４の概念構成図である。サイネージ端末４は、記憶部９と、制御部１０と、表示部１１と、通信部１２とを含む。
【００２５】
記憶部９は、各種のコンテンツ（広告）を記憶するための、たとえば、ハードディスク、ＵＳＢ（Universal Serial Bus）メモリ、フラッシュメモリ、シリコンディスク、磁気ディスク、または光ディスク等の記憶デバイスである。この記憶部９には、多数のコンテンツ（広告）のそれぞれの実体データ１６と、各々のコンテンツの識別情報（コンテンツＩＤ）１７とを、たとえば、一対一に対応させたテーブル１８が格納されている。
【００２６】
制御部１０は、読み出し専用半導体メモリ（Read Only Memory、以下、ＲＯＭと略す）１４に記憶されている各種のプログラムを実行して所定の演算や各部の制御処理を行うＣＰＵ１３とプログラム実行時の作業領域となるＲＡＭ１５とを備える。この制御部１０は、あらかじめＲＯＭ１４に格納されている基本プログラム（Operating System：ＯＳ）や応用プログラム（様々な用途のアプリケーションプログラムまたは単にアプリケーションともいう）などのソフトウェアリソースをＲＡＭ１５にロードしてＣＰＵ１３で実行することにより、サイネージ端末４に特有の機能、すなわち、記憶部９に格納されているコンテンツ（広告）を順次またはランダムもしくは所定の順番で読み出して表示部１１に表示させる機能と、表示中のコンテンツ（広告）の識別情報（コンテンツＩＤ）を通信部１２によってサイネージ端末４の周囲に送信させる機能を実現する。
【００２７】
表示部１１は、液晶パネルやプロジェクタ等の大画面の表示デバイスであり、制御部１３から送られてくる情報（コンテンツ）を表示する。
【００２８】
通信部１２は、このサイネージ端末４の周囲に、表示部１１に表示中のコンテンツ（広告）の識別情報（コンテンツＩＤ）を送信するデバイスであり、たとえば、Ｂｌｕｅｔｏｏｔｈ（登録商標）やＷｉ−Ｆｉまたは小電力無線部である。
【００２９】
なお、サイネージ端末４は、コンテンツ（広告）に音声データが含まれていた場合にその音声データを出力するための音声出力部を備えていてもよい。
【００３０】
図３は、サーバ２の概念構成図である。サーバ２は、通信部１７と、操作部１８と、制御部１９と、表示部２０と、記憶部２１とを含む。
【００３１】
通信部１７は、ネットワーク３を介して携帯端末８との間でデータのやり取りを行う通信デバイスであリ、操作部１８は、キーボードやマウス等のユーザインターフェースデバイスである。
【００３２】
制御部１９は、ＲＯＭ２３に記憶されている各種のプログラムを実行して所定の演算や各部の制御処理を行うＣＰＵ２２とプログラム実行時の作業領域となるＲＡＭ２４とを備える。この制御部１９は、あらかじめＲＯＭ２３に格納されている基本プログラム（ＯＳ）や応用プログラム（様々な用途のアプリケーションプログラムまたは単にアプリケーションともいう）などのソフトウェアリソースをＲＡＭ２４にロードしてＣＰＵ２２で実行することにより、サーバ２の機能、具体的には、携帯端末８からの通知を受け取る機能と、その通知に含まれているコンテンツＩＤを手掛かりにして記憶部２１から関連データ（広告情報）を取り出し、その関連データ（広告情報）を通知元の携帯端末８に送信する機能を実現する。なお、ＯＳやアプリケーションプログラムなどのソフトウェアリソースは、ＲＯＭ２３に格納せず、ハードディスク等の記憶デバイス（たとえば、記憶部２１など）に格納してもよい。
【００３３】
表示部２０は、液晶パネル等の表示デバイスであり、サーバ２の運用管理状態等を表示する。
【００３４】
記憶部２１は、サイネージ端末４の記憶部９に格納されている各種のコンテンツ（広告）のコンテンツＩＤと関連データ（広告情報）とを記憶するための、たとえば、ハードディスクなどの大容量記憶デバイスであり、この記憶部２１には、関連データ２５とコンテンツＩＤ２６とを対応させたテーブル２７が格納されている。例えばテーブル２７は、図３に示すようにコンテンツＩＤと関連データとが一対一に対応させて記憶されていてもよい。
【００３５】
図４は、ユーザ端末Ｕの概念構成図である。ユーザ端末Ｕは、ユーザ６の腕に装着されたリスト端末７と、ユーザ６によって携行される携帯端末８と、で構成されており、リスト端末７は、通信部２８と、センサ部２９と、制御部３０と、表示部３１と、タッチパネル３２とを含む。
【００３６】
通信部２８は、サイネージ端末４の通信部１２から送信される識別情報（コンテンツＩＤ）を受信するとともに、このコンテンツＩＤを携帯端末８に送信する送受信デバイスであり、たとえば、Ｂｌｕｅｔｏｏｔｈ（登録商標）やＷｉ−Ｆｉまたは小電力無線部である。
【００３７】
センサ部２９は、リスト端末７の動き、言い換えれば、リスト端末７を装着したユーザ６の腕の動き（振りなど）を検出する、たとえば、加速度センサやジャイロセンサなどを含む。
【００３８】
制御部３０は、ＲＯＭ３４に記憶されている各種のプログラムを実行して所定の演算や各部の制御処理を行うＣＰＵ３３とプログラム実行時の作業領域となるＲＡＭ３５とを備える。この制御部３０は、あらかじめＲＯＭ３４に格納されている基本プログラム（ＯＳ）や応用プログラム（様々な用途のアプリケーションプログラムまたは単にアプリケーションともいう）などのソフトウェアリソースをＲＡＭ３５にロードしてＣＰＵ３３で実行することにより、リスト端末７の基本機能（時計としての機能等）を実現する。さらに、制御部３０は、センサ部２９の検出結果に基づいてユーザ６の腕の振りが所定の状態にあるか否かを判定する機能（以下、判定機能という）と、サイネージ端末４から送信されるコンテンツＩＤを通信部２８で受信するか否かを決定する機能（以下、受信制御手段という）とを実現する。そして、判定機能の判定結果がＹＥＳとなった際に、受信制御手段によって、通信部２８がコンテンツＩＤの受信することを決定し、コンテンツＩＤの受信を行う。さらに、通信部２８を用いてコンテンツＩＤを携帯端末８に送信する機能を実現する。
【００３９】
表示部３１は、液晶パネル等の表示デバイスであり、時刻やその他の情報を表示し、タッチパネル３２は表示デバイス上のタッチ座標やタッチパターンを検出する。
【００４０】
携帯端末８は、第１通信部３６と、第２通信部３７と、制御部３８と、表示部３９と、タッチパネル４０とを含む。
【００４１】
第１通信部３６は、リスト端末７の通信部２８から送信される識別情報（コンテンツＩＤ）を受信する、たとえば、Ｂｌｕｅｔｏｏｔｈ（登録商標）やＷｉ−Ｆｉまたは小電力無線部である。
【００４２】
第２通信部３７は、最寄りの基地局５との間で電話用音声データの送受信やメール及びインターネット等のデジタルデータの送受信を行うとともに、さらに、この実施形態ではネットワーク３に接続されたサーバ２に対してコンテンツＩＤを送信し、また、サーバ２から送信されてくる関連データ（広告情報）を受信する。
【００４３】
制御部３８は、ＲＯＭ４２に記憶されている各種のプログラムを実行して所定の演算や各部の制御処理を行うＣＰＵ４１とプログラム実行時の作業領域となるＲＡＭ４３とを備える。この制御部３８は、あらかじめＲＯＭ４２に格納されている基本プログラム（ＯＳ）や応用プログラム（様々な用途のアプリケーションプログラムまたは単にアプリケーションともいう）などのソフトウェアリソースをＲＡＭ４３にロードしてＣＰＵ４１で実行することにより、携帯端末８の基本機能（電話機能等）を実現する。さらに、制御部３８は、リスト端末７から送信されたコンテンツＩＤを第１通信部３６で受信する機能と、第１通信部３６でコンテンツＩＤを受信した場合に、第２通信部３７を用いて基地局３とネットワーク３を経由してサーバ２に送信して通知する機能と、この通知に応答してサーバ２から送信されてくる関連データ（広告情報）を第２通信部３７で受信する機能と、受信した関連データ（広告情報）を表示部３９に表示させる機能とを実現する。
【００４４】
表示部３９は、液晶パネル等の表示デバイスであり、電話の発着信番号等や前記の関連データ（広告情報）等を表示し、タッチパネル４０は表示デバイス上のタッチ座標やタッチパターンを検出する。
【００４５】
コンテンツ配信システム１の動作を概略的に説明する。
図１において、サイネージ端末４に任意の広告を表示しているとき、この広告に興味を抱いたユーザ６が歩みを止めまたは歩行速度を緩めてサイネージ端末４の表示画面を注視すると、ユーザ６の腕の振りがゼロあるいは微小なものになる。
【００４６】
このようなユーザ６の腕の振りは、リスト端末７のセンサ部２９によって、リスト端末７の動き（動きゼロまたは微小な動き）として検出される。リスト端末７は、このような動きが検出されたとき、サイネージ端末４から送信（矢印Ａ）されているコンテンツＩＤ（表示中の広告の識別情報）を受信し、そのコンテンツＩＤを携帯端末８に伝える（矢印Ｂ）。
また、リスト端末７の動きが大きくない状態を検出した場合にサイネージ端末４から送信（矢印Ａ）されているコンテンツＩＤ（表示中の広告の識別情報）を受信し、そのコンテンツＩＤを携帯端末８に伝えてもよい（矢印Ｂ）。
【００４７】
携帯端末８は、リスト端末７から送信されたコンテンツＩＤを受信すると、最寄りの基地局５とネットワーク３を経由してサーバ２にコンテンツＩＤを通知し（矢印Ｃ、Ｄ）、サーバ２はこの通知に応答して、コンテンツＩＤに対応した関連データ（サイネージ端末４に表示中の広告に関連したデータ）を通知元の携帯端末８に送信し（矢印Ｅ、Ｆ）、携帯端末８はその関連データ（広告情報）を表示部３９に表示する。
【００４８】
したがって、このコンテンツ配信システム１によれば、ユーザ端末Ｕ（リスト端末７と携帯端末８）を携行したユーザ６が、歩みを止めてサイネージ端末４の画面を注視すると、サイネージ端末４の画面に表示中の広告の関連データ（広告情報）が携帯端末８の画面に表示されるから、サイネージ端末４と携帯端末８との連携により、ユーザ６の趣向に適合したコンテンツの周知効果（広告効果等）を図ることができる。
【００４９】
かかる動作は、以下の処理フローによって実現することができる。
図５は、実施形態の動作説明図である。この図において、左上はサイネージ端末４の制御部１０の処理フロー、右上はリスト端末７の制御部３０の処理フロー、右下はサーバ２の制御部１９の処理フロー、左下は携帯端末８の制御部３８の処理フローである。
【００５０】
サイネージ端末４の制御部１０は、まず、記憶部９から任意または特定のコンテンツを読み出し（ステップＳ１０）、そのコンテンツを表示し（ステップＳ１１）、表示中のコンテンツの識別情報（コンテンツＩＤ）をサイネージ端末４の周囲に送信し（矢印Ａ）（ステップＳ１２）、所定時間が経過すると（ステップＳ１３のＹＥＳ）、記憶部９から次のコンテンツを読み出して（ステップＳ１４）再びコンテンツを表示する（ステップＳ１１）という処理を繰り返す。
【００５１】
リスト端末７の制御部３０は、ユーザ６の腕の振り方を検出し（ステップＳ２０）、所定の腕振り状態（腕振りゼロまたは微小な腕振り）になった場合に（ステップＳ２１のＹＥＳ）、サイネージ端末４からのコンテンツＩＤを受信するか否かを判定し（ステップＳ２２）、コンテンツＩＤを受信（矢印Ａ）した場合は、そのコンテンツＩＤを携帯端末８に送信（矢印Ｂ、Ｃ、Ｄ）する（ステップＳ２３）という処理を繰り返す。
【００５２】
サーバ２の制御部１９は、携帯端末８からの通知があったか否かを判定し（ステップＳ３０）、通知（矢印Ｂ、Ｃ、Ｄ）があった場合は、その通知に含まれるコンテンツＩＤを手掛かりにして記憶部２１から関連データ（広告情報）を読出し（ステップＳ３１）、その関連データ（広告情報）を通知元の携帯端末８に送信（矢印Ｅ、Ｆ）する（ステップＳ３２）という処理を繰り返す。
【００５３】
携帯端末８の制御部３８は、サーバ２から関連データ（広告情報）が送信されたか否かを判定し（ステップＳ４０）、送信（矢印Ｅ、Ｆ）された場合は、その関連データ（広告情報）を表示部３９に表示する（ステップＳ４１）という処理を繰り返す。
【００５４】
以上、本発明の実施形態を説明したが、この発明は、これらに限定されるものではなく、特許請求の範囲に記載された発明とその均等の範囲を含むものである。
【００５５】
たとえば、ユーザ端末Ｕをリスト端末７と携帯端末８との組み合わせでなく、携帯端末８だけで構成することも可能である。すなわち、サイネージ端末４からのコンテンツＩＤを携帯端末８の第１通信部３６で直接受信するようにしてもよい。この場合、携帯端末８はリスト端末７のセンサ部２９の機能を備えている必要がある。
また、ユーザ端末Ｕを、３つ以上の端末の組み合わせで実現してもよい。すなわち、サイネージ端末４から送信されるコンテンツＩＤを受信する受信機、ユーザ６の動きを検出する検出機、コンテンツＩＤに基づいて広告情報を取得、表示する広告情報提供機の３つで構成されていてもよい。
また、サイネージ端末４の表示部１１に表示するコンテンツを、ネットワーク３を介してサーバ２から配信するようにしてもよい。
また、携帯端末８はスマートフォン以外のものであってもよい。たとえば、通信機能付きのタブレット型コンピュータや携帯型ゲーム機などであってもよい。
【００５６】
上記実施形態においては、ユーザ６の動きをリスト端末７のセンサ部２９によって、リスト端末７の動きがゼロまたは微小な動きとして検出される場合について述べたが、これに限られない。すなわち、腕の振りが一定時間において通常より遅くなっている、もしくは動きの方向が変わる、等の条件によってサイネージ端末４が表示している広告に対してユーザ６が興味を持ったことを判定することも考えられるため、条件は適宜変更可能である。
【００５７】
上記実施形態においては、ユーザ端末Ｕがサーバ２から関連データ（広告情報）を取得する例を説明したが、これに限られない。すなわち、コンテンツＩＤに対応する関連データ（広告情報）が携帯端末８に記憶されており、受信したコンテンツＩＤに基づいて、対応する関連データ（広告情報）を読出し、表示部３９に表示してもよい。
また、サイネージ端末４から関連データ（広告情報）を受信し、表示してもよい。この際、サイネージ端末４の記憶部９には、コンテンツＩＤと、それらと対応する関連データ（広告情報）が記憶されている。
【００５８】
以下に、本件出願の特許請求の範囲に記載された発明を付記する。
【００５９】
（付記）
［１］付記１は、自装置の動きを検出する検出手段と、
外部装置から送信される前記外部装置に出力されている出力情報を示す識別情報を受信する受信手段と、
前記検出手段が所定の動きを検出した際に前記受信手段で前記識別情報を受信させる受信制御手段と、
前記受信手段によって前記識別情報を受信した際に前記識別情報が示す前記外部装置に出力されている出力情報に関連する情報を取得する情報取得手段と、
を備えたことを特徴とする情報取得装置である。
［２］付記２は、前記検出手段は、ユーザの腕の振りが所定の状態にあるか否かを検出し、該検出手段で所定の状態にあることが判定された時に前記受信制御手段が前記受信手段で前記識別情報を受信させることを特徴とする付記１に記載の情報取得装置である。
［３］付記３は、前記情報取得手段は、前記識別情報に対応付けて記憶されている前記外部装置に出力されている出力情報に関連する情報を取得することを特徴とする付記１または２に記載の情報取得装置である。
［４］付記４は、前記所定の状態とは、前記ユーザの腕の振りが大きくない状態であることを特徴とする付記２に記載の情報取得装置である。
［５］付記５は、自装置の動きを検出する検出手段と、外部装置から送信される前記外部装置に出力されている出力情報を示す識別情報を受信する受信手段とを備える情報取得装置が行う情報取得方法であって、
前記検出手段が所定の動きを検出した際に前記受信手段で前記識別情報を受信させる受信制御工程と、
前記受信手段によって前記識別情報を受信した際に前記識別情報が示す前記外部装置に出力されている出力情報に関連する情報を取得する情報取得工程と、
を含むことを特徴とする情報取得方法である。
［６］付記６は、自装置の動きを検出する検出手段と、外部装置から送信される前記外部装置に出力されている出力情報を示す識別情報を受信する受信手段とを備える情報取得装置に用いられるコンピュータを、
前記検出手段が所定の動きを検出した際に前記受信手段で前記識別情報を受信させる受信制御手段、
前記受信手段によって前記識別情報を受信した際に前記識別情報が示す前記外部装置に出力されている出力情報に関連する情報を取得する情報取得手段、
として機能させるためのプログラムである。
【符号の説明】
【００６０】
Ｕ  ユーザ端末（自装置、情報取得装置）
４  サイネージ端末（外部装置）
６  ユーザ
１７  通信部（受信手段）
２９  センサ部（検出手段）
３０  制御部（受信制御手段）
３８  制御部（情報取得手段）
【図１】
2017116596.tif 000003
【図２】
2017116596.tif 000004
【図３】
2017116596.tif 000005
【図４】
2017116596.tif 000006
【図５】
2017116596.tif 000007